Podtech/llm-jp-corpus-v4-ja_patent huggingface dataset:
(57)【要約】【課題】メールアドレス入力を簡便にし、入力ミスを防止出来るクーポン発行システムを提供する。【解決手段】電子メール送信先とメール送信手順のプログラムの記録されたデバイスとこのデバイスを装着することのできる携帯端末と、デバイスが装着され携帯端末から電子メールが送信された場合、該電子メールを受信し、その電子メールの送信者アドレスを会員アドレスとして記録するサーバとから構成される。【選択図】　　　　図１
2004021959.tif 000002
【特許請求の範囲】
【請求項１】
電子メール送信先とメール送信手順のプログラムの記録されたデバイスとこのデバイスを装着することのできる携帯端末と、デバイスが装着され携帯端末から電子メールが送信された場合、該電子メールを受信し、その電子メールの送信者アドレスを会員アドレスとして記録するサーバとからなることを特徴とするクーポン発行方法及びシステム
【発明の詳細な説明】
【０００１】
【発明の属する技術分野】
本発明はクーポン発行方法及びシステムに関するものである。
【０００２】
【従来の技術】
従来、携帯端末へのクーポン発行システムは、所定のアドレスあてにユーザーが電子メールを送り、その送信者アドレスを会員情報として登録し、その会員情報あてに後日クーポンを電子メールとして配信していた。
この方法だと、メールを送信するだけで会員登録されるので気軽に利用することが出来た。
【０００３】
【発明が解決しようとする課題】
しかしながら、上述の方法では送信先メールアドレスの入力をユーザーに行わせることになるので、メール送信先の入力ミスや、入力が面倒といった理由でメール送信しないといった不都合があった。
【０００４】
本発明は、上述の課題にかんがみてなされたもので、その目的とするところは、簡便なクーポン発行方法およびシステムを提供することにある。
【０００５】
【課題を解決するための手段】
電子メール送信先とメール送信手順のプログラムの記録されたデバイスとこのデバイスを装着することのできる携帯端末と、デバイスが装着され携帯端末から電子メールが送信された場合、該電子メールを受信し、その電子メールの送信者アドレスを会員アドレスとして記録するサーバとから構成される。
【０００６】
【発明の実施の形態】
図１は会員登録フローを示す図である。図１において、１はユーザが会員登録時に携帯端末に装着するデバイス、２はユーザーが電子メールを発信する際に用いる携帯端末、３は会員情報を管理するサーバである。
ここで、ユーザーはクーポン配信を受けたい場合に各店舗に設置してあるデバイスをユーザーの携帯端末に装着する。ユーザーが装着すると自動的にデバイスが起動し、装着された携帯端末より予め登録されたメールアドレス宛に電子メールを発信する。
発信された電子メールはサーバにて保持され、各店舗ごとの会員リストとして分類、登録される。
図２は店舗からのクーポン発行フローを示す図である。図２において、４は各店舗の保有する携帯端末又はＰＣである。５は店舗からクーポンを発行する際の送信画面例である。
各店舗はクーポンを発行したい時には、各店舗の保有する携帯端末又はＰＣから所定のＵＲＬへとアクセスし、サーバーの認証を受ける。サーバーにて認証されると５のような一斉送信画面が表示され、ここに各店舗は自由に文字入力することによりクーポンを作成する。
クーポン作成完了後、送信ボタンを押すことで、サーバーに分類、登録されている会員アドレスあてにサーバーより一斉に電子メールが送信される。
【０００７】
【発明の効果】
以上、説明したように、本発明によればクーポン発行システムにおける会員登録時のアドレス入力が不要になり、簡便なクーポン発行方法およびシステムを提供することが出来る。
【図面の簡単な説明】
【図１】会員登録のフローを示す図である
【図２】店舗からクーポンを発行する際のフロー図である
【符号の説明】
１…デバイス、２…携帯端末、３…サーバ、４…店舗端末、５、店舗の送信画面
【図１】
2004021959.tif 000003
【図２】
2004021959.tif 000004
(57)【要約】【課題】眼鏡を着衣のポケットや襟元等適所に挿入して所持する時、眼鏡が滑り出て落下したり、落下による破損や紛失等を防止する事を目的とした、眼鏡のフレームを提供する。【解決手段】眼鏡のフレーム（１）のテンプル（２）にピン（３）を設けた事を特徴とする。【選択図】　　図１
2004021248.tif 000002
【特許請求の範囲】
【請求項１】
眼鏡のフレーム（１）のテンプル（２）にピン（３）を設けた眼鏡のピン付フレーム。
【発明の詳細な説明】
【０００１】
【発明の属する技術分野】
この発明は、眼鏡を着衣のポケット等適所に挿入して所持する時、眼鏡が滑り出て落下、または落下による破損や紛失等を防止するための眼鏡のフレームに関するものである。
【０００２】
【従来の技術】
従来より、眼鏡を顔に掛けたり外したりする回数が多い場合、着衣のポケットや適所に挿入したり、フレームにクサリや紐を付けて首に掛けて所持する人が多い。
【０００３】
【発明が解決しようとする課題】
これは次のような欠点があった。
イ、眼鏡を着衣のポケットや適所に挿入して所持した場合は、体や着衣の動きにより眼鏡が滑り出て落下したり、又落下により破損や紛失をする恐れがある。
ロ、メガネにクサリや紐を付けて首に掛けた場合は、眼鏡が胸の前に垂れ下がる
ため、体が動く度に眼鏡は揺れ動き、非常にじゃまになる。
本発明は、以上の欠点を解決するためになされたものである。
【０００４】
【課題を解決するための手段】
眼鏡のフレーム（１）のテンプル（２）に、ピン（３）を設ける。
本発明は、以上の構成により成る眼鏡のピン付きフレームである。
【０００５】
【発明実施の形態】
以下は、発明実施の形態を説明する。
（イ）眼鏡をポケットや適所に挿入して所持する時、テンプル（２）に設けたピ
ン（３）で着衣等挿入箇所を挟み、眼鏡を固着させる。
【０００６】
【発明の効果】
本発明のフレームの眼鏡を使用する事により、サングラスや遠視鏡など、掛けたり外したりする回数の多い眼鏡を、着衣のポケットや襟元等適所に挿入して所持する時、ピン（３）で着衣を挟み眼鏡を固着出来るため、体や着衣の動きが多い場合でも、眼鏡は滑り出て落下することは無い、従って落下による破損や紛失の心配が無いため、クサリや紐を付け首に掛けて所持する必要は無い。又ピンに美しい装飾を施した場合、眼鏡本来の役目に加え装飾的価値も生じる。
【図面の簡単な説明】
【図１】本発明の部分斜視図
【図２】本発明の部分平面図
【図３】本発明の使用状態を示す図
【符号の説明】
１　フレーム
２　テンプル
３　ピン
【図１】
2004021248.tif 000003
【図２】
2004021248.tif 000004
【図３】
2004021248.tif 000005
(57)【要約】【課題】管楽器を吹奏する時に、楽器からの放出音量を小さくする事が出来るマウスピースを提供すること。従来では、楽器から出た大きな音に対して周りに漏れないように工夫していたが、本考案では、楽器から出てくる音そのものを小さくすることを課題とする。【解決手段】上記課題を解決するため金管楽器のトランッペトに装着して吹奏する請求項１記載のマウスピース（２）、及び木管楽器のサキソフォンに装着して吹奏する請求項１記載のマウスピース（３）に材質が転位型制振合金、双晶型制振合金、強磁性型制振合金等（与えられた衝撃や音の振動を抑制減衰させる金属）及び複合型制振材料で製造することを特徴とする管楽器用マウスピースである。【選択図】　図３
2004021252.tif 000002
【特許請求の範囲】
【請求項１】
金管楽器のマウスピース図１や木管楽器のマウスピース図２であって、そのマウスピースを制振合金または複合型制振材料により製造したことを特徴とする管楽器用マウスピース。
【発明の詳細な説明】
【０００１】
【発明の属する技術分野】
この発明は管楽器のマウスピースに関するものである
【０００２】
【従来の技術】
従来のマウスピースで管楽器を吹奏すれば音が大きく、とくに夜に吹奏すれば周りに迷惑をかける。そこで、防音室内で練習したり、楽器を包み込むようにしたケース内に入れて吹奏したり、楽器の先端部（１）に消音器を差し込んだり、サイレントブラスと称して楽器の音をヘッドフォンで聞こえるようにしたりしている。この消音器を使用しての吹奏や、ケース内に入れての吹奏では楽器の出口を塞いでいるので吹奏感としては楽器の内部がつまったように感じるのと、トランペットを例にとるならば先端部（１）が重たくなり吹奏時に疲れやすいのが欠点だった。
【０００３】
管楽器は本来、音が大きく遠くまで届くように出来ているが、出来るだけ周囲にうるさい音をまき散らさないように練習している。それで公園などで他の人の迷惑にならないように練習しているのだが、冬の公園では寒くて練習に集中出来ないのが現状である。
【０００４】
在学中に楽器を演奏していて、学校を卒業して社会人になってからも楽器を吹奏したいと思っている人達は多くいるが、在学中のようにいつでも楽器を鳴らせる環境を見つけるのが、なかなか難しい。これを阻んでいるは楽器の音が大きいということである。
【０００５】
【発明が解決しようとする課題】
従来では、楽器から出た大きな音に対して周りに漏れないように工夫していたが、本発明では、楽器から出てくる音そのものを小さくすることを課題とする。
【０００６】
【課題を解決するための手段】
上記課題を解決するため金管楽器のトランペットに装着して吹奏する請求項１記載のマウスピース（２）及び木管楽器のサキソフォンに装着して吹奏する請求項１記載のマウスピース（３）に材質が転位型制振合金、双晶型制振合金、強磁性型制振合金等（与えられた衝撃や音の振動を抑制減衰させる金属）および複合型制振材料で製造することを特徴とする管楽器用マウスピース。
【０００７】
【発明の実施の形態】
本発明の金管楽器のトランペット用マウスピース（２）および木管楽器のサキソフォン用マウスピース（３）の実施例を説明する。（２）及び（３）に示すマウスピースは、制振合金を材質とし、鋳造加工で製造したり、最適には旋盤での削り出し加工で成形後、真空熱処理する。また鋼板に樹脂等をサンドイッチした複合型制振材料ではプレス加工成形などで製造する。
【０００８】
この実施例で使われる双晶型制振合金の、２０５２合金（マンガンベースで２０％銅−５％ニッケル−２％鉄）とよばれる合金は加工性が容易で、低炭素鋼なみの強さを持っていて外部から受けた振動を抑制減衰させる効果を持っている。又複合型制振材料も同じ性質があり本発明の目的を達成するための最適の材質である。
【０００９】
従来のマウスピースでは、リード板及び唇で発生した音の振動を増幅伝達させるために材料を肉厚にしているが、本発明のマウスピースの（４）及び（５）の内部形状や内部体積等は従来のマウスピースと同じだが、材質が外部からの振動を抑制減衰させるものだけに、その効果を最大に発揮出来る外部形状になるため従来のように材質の肉厚にこだわる必要はない。
【００１０】
トランペットとサキソフォンについて説明したが、本願はこれに限られるものでなく、コルネット、トロンボーン、ホルン、ユーフォニューム、チューバ、クラリネット、フルート等にも採用が可能である。
【００１１】
【発明の効果】
本発明は以上に説明したような構成により次のような効果を奏する。従来のマウスピースで発生した音は振動として管楽器に伝わっていくものと音の波として管楽器内部に伝わりいったん反射して管内を逆方向に進み、マウスピースで発生した音に影響を与えるこの繰り返しによって空気が安定した波と振動になり、この管の中の空気柱の波の一部が外にもれ出て耳に達し、音として伝わる空気の波の二種類がある。
【００１２】
この楽器に伝わる振動の周波数と空気の波の周波数とが重なって一つになり、その楽器固有の豊かな音質、音色が出る。
【００１３】
しかし本発明の請求項１で記載されているマウスピースでは、本来発生するべき振動を抑制減衰するためそれが楽器本体に伝わるのが激減する。本来ならば振動と音の波が一つになって楽器を鳴らすところが楽器本体が振動して発生する音は激減し、楽器内部を伝わる空気の波の力だけになって楽器を鳴らすため、本発明のマウスピースでは従来のマウスピースと同じ内部形状、同じ内部体積（４）及び（５）で製造して同じ吹く力で吹奏していても楽器の放出音量（６）だけが低減される。
【００１４】
これで野外での練習場所から室内へと、練習する場所の選択肢が増えるようになり、今まで吹奏をためらっていた場所でも周囲に迷惑をかけずに練習が出来るようになった。
【図面の簡単な説明】
【図１】実施形態を示す金管楽器用マウスピースの斜視図
【図２】実施形態を示す木管楽器用マウスピースの斜視図
【図３】実施形態を示す金管楽器用マウスピースの一部断面図
【図４】実施形態を示す本管楽器用マウスピースの一部断面図
【図５】トランペットを示す概略図
【図６】サキソフォンを示す概略図
【符号の説明】
１　先端部
２　金管楽器用マウスピース
３　木管楽器用マウスピース
４　金管楽器用マウスピースの一部断面図
５　木管楽器用マウスピースの一部断面図
６　放出音量
【図１】
2004021252.tif 000003
【図２】
2004021252.tif 000004
【図３】
2004021252.tif 000005
【図４】
2004021252.tif 000006
【図５】
2004021252.tif 000007
【図６】
2004021252.tif 000008
(57)【要約】【課題】ビデオカメラの長時間の撮影時において、ビデオカメラを持つ手の疲れや、それに伴う映像の手ぶれを解消する為のビデオカメラの保持具を提供する。【解決手段】形状がＵ字を成すシャーシとその両端のいずれかの端部より接合された折りたたみ可能な数本のアームからなるカメラ保持具。【選択図】　図１
2004021253.tif 000002
【特許請求の範囲】
【請求項１】
形状がＵ字を成すシャーシとその両端のいずれかの端部より接
合された折りたたみ可能な数本のアームからなるビデオカメラ保持具。
【発明の詳細な説明】
【０００１】
【発明の属する技術分野】
この発明は、ビデオカメラ撮影時において画像のブレを少なくし、カメラを支
える腕の疲れを減少させるものである。
【０００２】
【従来の技術】
従来は、三脚を使用したり又は手で持って撮影していた。
【０００３】
【発明が解決しようとする課題】
これには、次のような欠点があった。
（イ）　長時間の撮影では手が疲れる。
（ロ）　ちょっとした腕の動きにより映像がブレてしまう。
（ハ）　目の前に障害物があると目的の物が撮影が出来ない。
（ニ）　三脚を使用した場合移動に時間がかかる。
本発明は、これらの欠点を除くためになされたものである。
【０００４】
【課題を解決するための手段】
Ｕ字型シャーシ（１）の端部イ部（８）とアームＢ（２）のロ部（９）を固定つまみＣ（４）にて結合し、アームＢ（２）のハ部（１０）とアームＡ（３）のニ部（１１）を固定つまみＢ（５）にて結合し、かつアームＡ（３）のホ部（１２）とカメラベース（７）とを固定つまみＡ（６）にて結合した構成で
なるビデオカメラ保持具。
【０００５】
【発明の実施の形態】
以下、本発明の実施の形態について説明する。
固定つまみＡ（６）、固定つまみＢ（５）、固定つまみＣ（４）を緩める事により、アームＡ（３）、アームＢ（２）、カメラベース（７）は接合部分が３６０度自由自在に回転動作が可能であり、また固定つまみＡ（６）、固定つまみＢ（５）、固定つまみＣ（４）を締め付けることによりアームＡ（３）、アームＢ（２）、カメラベース（７）の接合部は任意の位置にて固定可能であるため、撮影者の目視位置にビデオカメラのモニターを合わせこみ、撮影時はビデオカメラの持つ手を軽く保持する程度で映像ブレが少ない撮影が可能である
。
【０００６】
【発明の効果】
ビデオカメラの保持をＵ字型シャーシと数本のアームで行なうので手が疲れず、それに伴って映像のブレが少なくなる。また高さが調整できるので目線位置に障害物があっても、アームの接合角度を変えることによりビデオカメラの高さ位置を変えることが出来るので、目線位置ではない位置からの撮影が可能
である。
【図面の簡単な説明】
【図１】本発明の全体図である
【図２】本発明の斜面図
【符号の説明】
１Ｕ字型シャーシ
２アームＢ
３アームＡ
４固定つまみＣ
５固定つまみＢ
６固定つまみＡ
７カメラベース
８イ部
９ロ部
１０ハ部
１１ニ部
１２ホ部
【図１】
2004021253.tif 000003
【図２】
2004021253.tif 000004
(57)【要約】【課題】粉体容器内に供給される粉体に含まれる空気量の変化に左右されることなく、粉体容器から排出される粉体の量を一定に保つことができる粉体の定量供給装置を提供する。【解決手段】粉体を収容する粉体容器１の下方に、粉体容器内の粉体を定量排出する排出装置を設けた粉体の定量供給装置において、上記粉体容器１内に網９を張り、この網にバイブレータ８を取り付けると、粉体容器内の粉体が振動して粉体内に含まれた空気がスムーズに抜け、粉体容器の下方部分での単位容積当たりの粉体の量が一定になる。【選択図】図１
2004151118.tif 000002
【特許請求の範囲】
【請求項１】
粉体を収容する粉体容器の下方に、粉体容器内の粉体を定量排出する排出装置を設けた粉体の定量供給装置において、上記粉体容器内に網を張り、この網にバイブレータを取り付けたことを特徴とする粉体の定量供給装置。
【請求項２】
上記粉体が粉体塗料である請求項１記載の粉体の定量供給装置。
【請求項３】
上記排出装置がスクリューフィーダー又はテーブルフィーダーである請求項１又は２記載の粉体の定量供給装置。
【発明の詳細な説明】
【技術分野】
【０００１】
この発明は、粉体容器から粉体を定量的に供給する装置、特に、粉体塗装において塗装ガンに粉体塗料を定量的に供給する装置に関するものである。
【背景技術】
【０００２】
粉体塗装を行う場合、ガンより吐出される粉体塗料の量を一定にすることは、塗装製品の膜厚管理等を行う上で極めて重要である。そのために、従来、塗装ガンへの塗料供給は、スクリューフィーダーやテーブルフィーダーを粉体容器に設置して定量的に行われている。
【０００３】
ところで、連続的に塗装を行うラインでは、スクリューフィーダーやテーブルフィーダーが設置された粉体容器に、粉体塗料を補給するために、別の粉体容器から粉体塗料が搬送されるようになっている。
【０００４】
上記粉体容器への粉体塗料の補給は、自動あるいは手動によって行われている。自動の場合は、インジェクションによって塗料をエアー搬送し、粉体容器の上方に設置されたミニサイクロンによってエアーと粉体塗料とを分離して、粉体塗料を粉体容器内に落下させて補給するというのが一般的である。また、手動の場合、特に塗料メーカーから運搬されてきた塗料ケースより粉体塗料の入ったビニール袋を取り出し、粉体塗料をスムーズに入れるためにビニール袋内にエアーを入れてほぐし、それからビニール袋内の粉体塗料を粉体容器内に投入するのが一般的である。
【０００５】
ところが、上記のように粉体塗料を粉体容器に補給した場合、粉体塗料と共に粉体容器内にエアーが入り、粉体容器内における単位容積当たりの粉体塗料の量が変動する。
【０００６】
したがって、従来、粉体容器の下方に、スクリューフィーダーやテーブルフィーダーといった定量排出装置を設置しても、排出される粉体塗料の量が一定にならないという問題がある。
【発明の開示】
【発明が解決しようとする課題】
【０００７】
そこで、この発明は、粉体容器内に供給される粉体に含まれる空気量の変化に左右されることなく、粉体容器から排出される粉体の量を一定に保つことができる粉体の定量供給装置を提供しようとするものである。
【課題を解決するための手段】
【０００８】
この発明は、上記の課題を解決するために、粉体を収容する粉体容器の下方に、粉体容器内の粉体を定量排出する排出装置を設けた粉体の定量供給装置において、上記粉体容器内に網を張り、この網にバイブレータを取り付けたものである。
粉体容器に網を張り、この網にバイブレータを取り付けると、粉体容器内の粉体が振動して粉体内に含まれた空気がスムーズに抜け、粉体容器の下方部分での単位容積当たりの粉体の量が一定になる。
【発明の効果】
【０００９】
以上のように、この発明によれば、スクリューフィーダーやテーブルフィーダーといった排出装置を設置する粉体容器の下方部分で、粉体相互間に含まれる空気がスムーズに抜かれ、単位容積当たりの粉体の量を一定にすることができるので、粉体容器に供給される粉体に含まれる空気量が変動しても、粉体容器から排出される粉体の量を一定に保つことができる。
【発明を実施するための最良の形態】
【００１０】
以下、この発明の実施の形態を添付図面に基づいて説明する。
図１は、粉体容器１の下方に、粉体の排出装置としてスクリューフィーダー２を設置したこの発明の第１の実施例を示している。
【００１１】
上記粉体容器１の上方には、サイクロン３が設置され、このサイクロン３を経て、粉体容器１内に粉体Ａが補給されるようになっている。
【００１２】
また、上記粉体容器１の下方に設置したスクリューフィーダー２の排出口４の下方には、イジェクター５が設置され、スクリューフィーダー２から排出された粉体塗料等粉体Ａを、搬送エアー６によって粉体ホース７を介して粉体塗装ガン等に供給されるようになっている。
【００１３】
粉体容器１内には、金網９を張り、この金網９にバイブレータ８を設置している。粉体容器１内で金網方向が振動すると、その振動が粉体Ａに伝達され、粉体Ａ相互間に含まれる空気がスムーズに抜け、粉体容器１内の下方部分では、単位容積当たりの粉体Ａの量が一定になる。
【００１４】
したがって、粉体容器１の下方部分からスクリューフィーダー２によって排出される単位容積当たりの粉体Ａの量が一定となるので、例えば、表１、表２に示すように、塗装ガンからの粉体塗料の量を安定化させることが可能となる。表１、表２は、ポリエステル系（白）とエポキシ系（黒）の粉体塗料を、バイブレータ８の付いた粉体容器１と、バイブレータ８の付いていない粉体容器１からスクリューフィーダーによって排出させた場合における塗装ガンからの吐出量を３０分毎に測定した結果を示しており、バイブレータ８の付いた粉体容器１を使用した場合、塗装ガンからの吐出量は時間の経過によってほとんど変化せず、吐出量が非常に安定化していた。
【００１５】
【表１】
2004151118.tif 000003
【００１６】
【表２】
2004151118.tif 000004
【００１７】
次に、図２は、粉体の排出装置として、テーブルフィーダー１０を使用するこの発明の第２の実施例を示しており、テーブル１１に粉体を供給するホッパー型の粉体容器１内に、金網９を張り、この金網９にバイブレータ８を設置している。なお、サイクロン３、排出口４、インジェクター５、搬送エアー６及び粉体ホース７は、図１の実施例と同様の構成になっている。
【図面の簡単な説明】
【００１８】
【図１】この発明の第１の実施例を示す概略図
【図２】この発明の第２の実施例を示す概略図
【符号の説明】
【００１９】
１  粉体容器
２  スクリューフィーダー
３  サイクロン
４  排出口
５  インジェクター
６  搬送エアー
７  粉体ホース
８  バイブレータ
９  金網
１０  テーブルフィーダー
１１  テーブル
１２  多孔板
１３  流動室
１４  静置室
１５  流動エアー
Ａ  粉体
【図１】
2004151118.tif 000005
【図２】
2004151118.tif 000006
(57)【要約】      （修正有）【課題】明るい場所でしか計測できなかったスケールを暗い所でも明るく見易く計測できる様にするとともに安定性のなかったスケールを鋼材に使用するにかぎって安定させる。そしてより便利に使えるように水平器をとりつける。【解決手段】スケールの上部にライト（１）、電源に要する乾電池（２）、スライド回転式拡大レンズ（３）を取り付け、スケールの下部に水平器（４）、鋼材吸着用の永久磁石（５）、ストッパー用の永久磁石（６）を取り付ける。【選択図】図１
2004151073.tif 000002
【特許請求の範囲】
【請求項１】
従来のスケールにライト（１）を取り付け電源に乾電池（２）を取り付け、文字盤が見易くなる様にした万能スケール。
【請求項２】
従来のスケールにスライド回転式拡大レンズ（３）を取り付け文字盤を拡大し見易くした万能スケール。
【請求項３】
従来のスケールに水平器（４）を取り付け水平も測れる様にした万能スケール。
【請求項４】
スケールの下部に鋼材への吸着に永久磁石（５）文字盤をロックするための永久磁石（６）を取り付けた万能スケール。
【発明の詳細な説明】
【０００１】
［発明の属する技術分野］
本発明は、スケールにライトと、拡大レンズを取り付け、鋼材への吸着と文字盤をロックするために永久磁石を取り付け、水平も測れるように水平器を取り付けたものである。
【０００２】
［従来の技術］
従来、スケールは、寸法を測る為のものであり、明るい所での使用を前提としていた為、暗い所では、ライトを別に用意しておかなければならなかった。
又、ミリ単位の文字盤は、非常に小さく、大変見にくいという事があった。
【０００３】
［発明の実施の形態］
本発明は、暗いところでのスケールを測り易くし、又、見易くして、正確にかつ迅速に計測できるようにしたスケールで、又、寸法の計測時に、水平も一緒に測れるように水平器を取り付け、鋼材での計測時に鋼材に吸着する永久磁石を取り付けて使い易くしたスケールで、それを図面について説明すれば、スケールの上部にライト（１）電源に要する乾電池（２）、スライド回転式拡大レンズ（３）を取り付け、スケールの下部にミニ水平器（４）、鋼材吸着用の永久磁石（５）ストッパー用の永久磁石（６）を取り付けたものである。
【０００４】
［発明の効果］
このようにすれば、スケールは暗い場所でもはっきりと明るく見え、拡大レンズ（３）により、文字盤も大きくはっきり見えて、ミリ単位の寸法も正確かつ迅速に計測できる。そしてスケール下部においたミニ水平器（４）で水平も素早く確認することができ、又、スケール下部の永久磁石（５）により鋼材での使用時にスケール事態が鋼材に吸着しているため、他の作業もしやすくなり、又、高所での作業にはより安全である。そしてストッパーに永久磁石を用いたことにより、確実に固定することができ、スケールの巻き戻りによる文字盤のずれもない。又、乾電池には、大小様々な乾電池を使用することができる。
【図面の簡単な説明】
【図１】スケールの内部図である。
【図２】傾斜図である。
【図３】正面図である。
【図４】底面図である。
【符号の説明】
１    ライト
２    乾電池
３    スライド回転式拡大レンズ
４    永久磁石
５    永久磁石
６    ミニ水平器
【図１】
2004151073.tif 000003
【図２】
2004151073.tif 000004
【図３】
2004151073.tif 000005
【図４】
2004151073.tif 000006
(57)【要約】【課題】簡単な構造により唾液の落下を確実に防止することができ、衛生的に吹奏楽器から排出される唾液を収集し、演奏雰囲気を損なうことのない唾液収集具を提供する。【解決手段】唾液の出口部分に、唾液を収集する唾液収集具１０を着脱可能に貼着する。唾液収集具１０は吸水性の高い不織布、吸水紙、高吸収ポリマー等で構成された水分吸収体１１によって形成されている。【選択図】      図１
2004151615.tif 000002
【特許請求の範囲】
【請求項１】
リコーダー等の吹奏楽器において、唾液の出口部分から排出される唾液を収集する唾液収集具であって、吸水性の高い不織布、吸水紙、高吸収ポリマー等で構成された水分吸収体を着脱可能に貼着したことを特徴とする吹奏楽器の唾液収集具。
【発明の詳細な説明】
【０００１】
【発明の属する技術分野】
本発明は、リコーダー等の吹奏楽器に係り、唾液や呼気中の水分を収集する吹奏楽器の唾液収集具に関するものである。
【０００２】
【従来の技術】
リコーダーは頭部管、中部管、足部管によって構成されて、頭部管の先端の吹き口から息を吹き込み、発音する。中部管、足部管には音孔が形成されており、当該音孔を開閉することにより音程を変えてメロディーを奏するようになっている。
【０００３】
図２はリコーダーの管本体の従来例である。このリコーダー１は頭部管２、中部管３、足部管４で構成されている。中部管３と足部管４には音孔５が備えられている。
【０００４】
このようなリコーダー１において、演奏時に唾液が管本体に溜まる。また、呼気に含まれている水分も冷却すると水となって溜まる。これら管本体に溜まった唾液ならびに呼気中の水分（以下、総称して唾液という）は、足部管４下端部の穴から排出される。この下端部の穴は常時開放している。
【０００５】
【発明が解決しようとする課題】
上記した従来のリコーダーにおいては、足部管４下端部の穴が常時開放しているため、演奏時において唾液が床に落下して見苦しく、演奏雰囲気を損なうという問題があった。
【０００６】
本発明は上記した従来の問題を解決するためになされたもので、その目的とするところは、簡単な構造により唾液の落下を確実に防止することができ、衛生的に吹奏楽器から排出される唾液を収集し、演奏雰囲気を損なうことのない唾液収集具を提供することにある。
【０００７】
【課題を解決するための手段】
上記目的を達成するために本発明は、リコーダー等の吹奏楽器において、唾液の出口部分から排出される唾液を収集する唾液収集具であって、吸水性の高い不織布、吸水紙、高吸収ポリマー等で構成された水分吸収体を着脱可能に貼着したことを特徴とする。
【０００８】
本発明において、唾液収集具は唾液が排出されても床への落下を防止することができる。唾液収集具は糊、粘着剤等で構成された粘着部によって貼着され、また簡単に剥がすことができる。唾液収集具の表面は印刷によって楽器の色に合わせたデザインが可能である。
【０００９】
【発明の実施の形態】
以下、本発明を図面に示す実施の形態に基づいて詳細に説明する。図１は本発明に係る吹奏楽器の一実施の形態を示す要部の斜視図である。なお、図中従来技術において示した構成部材等と同一のものについては、同一符号をもって示し、その説明を適宜省略する。本実施の形態においては、リコーダーに適用した例を示す。足部管４の下端部で唾液が排出される部位の表面には、唾液の落下を防止する唾液収集具１０が着脱可能に貼着されている。
【００１０】
唾液収集具１０としては、吸水性の高い不織布、吸水紙、高吸収ポリマー等で構成された水分吸収体１１によって形成され、図１に示すように足部管４下端部の形状と略相似形な形状で形成され、糊、粘着剤等で構成された粘着部１２によって貼着される。図３は唾液収集具１０の正面図とＡ−Ａ断面図である。
【００１１】
唾液収集具１０による唾液落下防止効果は、足部管４下端部の穴から排出される唾液を水分吸収体１１によって吸収させることから容易に得ることができる。
【００１２】
吸収された唾液は、水分吸収体１１を構成する高吸収ポリマーによりゼリー状に固まるため、床に滴り落ちることはない。
【００１３】
唾液収集具１０は使い捨てで、一度使用したら新しいものと交換する。
【００１４】
また、このような唾液収集具１０は、シート１３に複数枚貼り付けられた状態で取り扱われることが望ましい。このようにシート１３に貼り付けておくと、唾液収集具１０に塗布されている粘着部１２が手、他の物品等に付着したり、あるいは粘着部１２に埃が付着することがないため取り扱いが容易で、何時でも何処でも簡単に剥がして使用することができる。
【００１５】
このように唾液収集具１０を足部管４下端部の表面に貼着しておくと、唾液が床に落下することなく、衛生的に唾液を収集し、演奏雰囲気を損なうことなく演奏することができる。
【００１６】
【発明の効果】
以上述べたように本発明に係る吹奏楽器によれば、唾液の出口部分に唾液収集具を着脱可能に貼着したので、唾液が排出されても床に落下することなく、衛生的に唾液を収集し、演奏雰囲気を損なうことなく演奏することができる。また、唾液収集具の表面の色を選択したり、唾液収集具の表面に印刷を施すことにより、楽器の色に合わせたデザインが可能である。
【図面の簡単な説明】
【図１】本発明に係る吹奏楽器の一実施の形態を示す要部の斜視図である。
【図２】リコーダーの管本体の従来例である。
【図３】唾液収集具１０の正面図とＡ−Ａ断面図である。
【符号の説明】
１    リコーダー
２    頭部管
３    中部管
４    足部管
５    音孔
１０    唾液収集具
１１    水分吸収体
１２    粘着部
１３    シート
【図１】
2004151615.tif 000003
【図２】
2004151615.tif 000004
【図３】
2004151615.tif 000005
(57)【要約】［課題］複写機などの有機半導体（ＯＰＣ）感光体が使用中に湿って感度が落ちて文字が滲む問題を解決したい。［解決手段］複写機などの有機半導体（ＯＰＣ）感光体において、その受光面をプラスチックなどの防水物質でコーティングした、複写機などの防水加工有機半導体感光体。【選択図】なし。【特許請求の範囲】
【請求項１】
複写機などの有機半導体（ＯＰＣ）感光体において、その受光面をプラスチックなどの防水物質でコーティングした、複写機などの防水加工有機半導体感光体。
【発明の詳細な説明】
【０００１】
［発明の属する技術分野］
本発明は複写機などの感光体に関する発明である。
【０００２】
［従来の技術］
私はキャノンのＦＣ２００を使用している。連続して多数枚撮る場合、５枚くらいまでは鮮明に写るのであるが、それを過ぎると、文字が滲んで、字画線の幅が広がるなどして、鮮明度が落ちて行く。
【０００３】
［発明が解決しようとする課題］
このＦＣ２００の感光体は手引き書によると、ＯＰＣ（有機半導体）とある。このＯＰＣは使っていると水分を少しずつ吸収して行き、感度が悪くなるものと思われる。
【０００４】
［課題を解決するための手段］
そこで、私はＯＰＣ感光体の表面を１０００分の１ミリとかに薄くプラスチックなどでコーティングして防水すると好いと考え付いた。
【０００５】
［発明の実施の形態］
「特許請求の範囲」に簡潔に述記してある。
【０００６】
［発明の効果］
ここで取り上げている不具合は、ＦＣ２００を購入して直ぐ発生した。しかしそのまま放置しておくと、数枚撮る場合には良く写り、５、６枚を超えると又文字が滲むと言う状態に戻ると言うことを繰り返した。
これは欠陥機だとキャノンの社長に製品の総点検を申し入れた。直ぐ、広島のサービスセンターの所長がやって来てくれて、対応してくれたが、根本的には直らず、そのまま１年以上が経ち、購入先のデオデオ本店に出向いて、新品と取り替えてくれるように頼んだ。そしたら、キャノンのサービスマンの細尾君が来てくれて、対応してくれたが、修理のしようがなく、カートリッジを交換して見てくれと言って帰っていった。
彼の対応を見ていて、感光体を電波で以て乾かすと、写りが良くなることを見知った。この電波の作用は数十年前から筆記中の万年筆やボールペンのインキの乾燥で経験しており、これもかと思い知った次第である。現在、私はパーカーの１万円のボールペンを使用しているが、これはインキの管とペン軸が金属で出来ており、電波で乾燥させようとしてもペン先部分のみしか乾燥できず、即ち金属が電波を弾くので、インキ全体を乾燥させることができず、電波が逃げて暫くすると、油が湿潤して元に帰り、少しペン先を擦っているとすらすら書けるようになる。一般的に言って、建物から電子製品からボールペンまで、全て電波で操作される人間と製品は金属で以て電波をシールドするのが好いと考えている。
ところで、キャノンはＦＣ２００に代えてＦＣ２６０と言うのを売り出している。私の使用振りが電波で日本中否世界中に撒かれるので、その宣伝効果を受けて装いを替えて大量販売したいのであろう。しかし恐らく、ＯＰＣ感光体対策は未完成のままであろうから、一度に数枚しか撮らない人には問題ないとしても、多枚数撮る人には手を焼くことになろう。
本発明によって、ＯＰＣ感光体対策は恐らく十分であろうから、ＯＰＣ感光体はキャノンのファミリーコピーはもとより、その他いろいろな複写機に、そしてさまざまなファクシミリなどに使用されるところとなり、電子印刷機器の堅実な開発と拡大普及に確実に貢献するものと思っている。
(57)【要約】【課題】鍵盤とアクション装置体が軽く滑らかにシフトされるようにする。【解決手段】鍵盤１とアクション装置体が取り付けられている枠組が棚板３に摺動可能にセットされているピアノのシフト装置において、棚板３と枠組の奥レール６には、該両部材の相対向した表面とそれぞれ面一の状態で同極同士が対面するようにして、永久磁石２３，２４が埋設されている。【選択図】    図１
2004151663.tif 000002
【特許請求の範囲】
【請求項１】
鍵盤とアクション装置体が取り付けられている枠組が棚板上に摺動可能にセットされているピアノのシフト装置において、棚板と枠組の奥レールには、該両部材の相対向した表面とそれぞれ面一の状態で同極同士が対面するようにして、永久磁石が埋設されていることを特徴とするピアノのシフト装置。
【請求項２】
永久磁石は棚板と奥レールの複数箇所に間隔を置いて埋設されていることを特徴とする請求項１記載のピアノのシフト装置。
【発明の詳細な説明】
【０００１】
【発明の属する技術分野】
本発明は、立型或いは平型何れのピアノにも適用できて、鍵盤とアクション装置体がスムースにシフトされるように改良したピアノのシフト装置に関する。
【０００２】
【従来の技術】
従来の一般的なピアノは、図１及び図２に示すように鍵盤１とアクションベース２のみが図示されているアクション装置体（打弦装置）とが棚板３上にセットされた前・中・奥の３個のレール（筬）４，５，６と妻木７等からなる枠組（鍵盤筬）上に取り付けられ、シフトペダルの操作により作動される突き上げ棒８とベルクランク状のレバー９を介して上記枠組が左右方向へ摺動し、所要のシフトが果たされる仕組である。この仕組では、中レール５は複数個所を接触子１１により支持されて棚板３の上面より若干浮き上がっているが、前レール４と奥レール６は相対向面部側が案内ローラ１２によりそれぞれ支持されて棚板３の上面より若干浮き上がり、それらの反対側部分が棚板３の上面と接触している。
【０００３】
案内ローラ１２は一対の木ねじ１３，１４を用いて棚板３上に取り付けられた調節板１５の自由端側に支持され、前レール４と奥レール６の相対向面部側の浮き上がり（棚板３との間隙）が調節できるようになっている。即ち、調節板１５は木ねじ１３と木ねじ１４間が浅い凹面状に湾曲しており、その湾曲部１５ａの下面を棚板３に埋め込んだ受けねじ１６の頭上に当て、該頭部（棚板３の上面と面一である）１６ａを支点として調節板１５の自由端側を木ねじ１３，１４の締緩操作によって昇降させ、上記浮き上り量を棚板３の表面の反りや凹凸に対応して調節し、前レール４と奥レール６がスムースに摺動できるようになっている。
【０００４】
図中、１７はレバー９の枢軸１８に対して該レバー９の従動側端部に取り付けたシフトローラであり、シフトローラ１７は奥レール６の側面に設けられている嵌装部１９に自転可能に取り付けられている。２１は突き上げ棒８側に作用させた戻しばね、２２は奥レール５側に作用させた戻しばねである。なお、図示の場合、アクションベース２は奥レール６上に取り付けられているが、ピアノの種類によっては中レール５と奥レール６に跨って設けられているものもある。
【０００５】
【発明が解決しようとする課題】
かかる従来装置では、アクション装置体が組み付けられている奥レール或いは奥レールと中レールにアクション装置体の重量が負担されるため、一部が棚板に接触している奥レールはシフト動作時に棚板との摩擦力が大きく、ペダル操作に重く抵抗感を生じさせることは勿論、関連部材間にがたつきや狂い等を起こさせる要因になっている。本発明はこのような問題を解決したものであって、その目的は、永久磁石同士の反発力を利用して奥レールに見掛け上の浮力を与え、シフト動作が軽く滑らかに行われるように改良したピアノのシフト装置を提供することにある。
【０００６】
【課題を解決するための手段】
上記目的を達成するために、本発明の特徴とするピアノのシフト装置は、鍵盤とアクション装置体が組み付けられている枠組が棚板上に摺動可能にセットされているピアノのシフト装置において、棚板と枠組の奥レールには、該両部材の相対向した表面とそれぞれ面一の状態で同極同士が対面するようにして、永久磁石を埋設した構成である。この構成において、永久磁石は棚板と奥レールの複数箇所に間隔を置いて（望ましくは等間隔に）埋設されているのがシフト動作の安定性の面で好ましい。
【０００７】
【発明の実施の形態】
以下に、本発明の実施の形態を前述した従来の一般例の説明に利用した図１，２に図３を加えて説明する。なお、図１，２による先の説明を援用し、その説明での部材と同一部材については同一符号を用いて本発明を説明する。鍵盤１とアクション装置体のアクションベース２とが取り付けられている枠組が棚板３上に摺動可能にセットされているピアノのシフト装置において、棚板３と枠組の奥レール６には、該両部材３，６の相対向した表面とそれぞれ面一の状態で同極同士（ＳとＳまたはＮとＮ）が対面するようにして、複数箇所に永久磁石２３，２４が埋設され、奥レール６に両永久磁石２３，２４の反発力により見掛け上の浮力を与えるようにして本発明を実施する。
【０００８】
図示の場合、永久磁石２３，２４は円盤状のものが棚板３と奥レール６の５箇所に等間隔でそれぞれ埋設されているが、その形状は角形でもよいことは勿論である。このように奥レール６に見掛け上の浮力が与えられていることによって、奥レール６はシフト動作時に棚板３との摩擦力が軽減され、鍵盤とアクション装置体を軽くスムースにシフトさせることができる。
【図面の簡単な説明】
【図１】本発明を実施したピアノの要部を一部切り欠いて示す平面図である。
【図２】図１のＡ−Ａ線断面図である。
【図３】図１のＢ−Ｂ線断面図である。
【符号の説明】
１は鍵盤、２はアクション装置体の一部であるアクションベース、３は棚板、６は奥レール、２３，２４は永久磁石である。
【図１】
2004151663.tif 000003
【図２】
2004151663.tif 000004
【図３】
2004151663.tif 000005
(57)【要約】【目的】無料、もしくは格安で通信の出来る携帯電話とＰＨＳインターネット。ＧＰＳを利用し交通事故や海難事故などの災害を未然に防ぐ。【構成】携帯電話、ＰＨＳのトランシーバー機能、もしくはＩＰ（インターネット・プロトコル）を利用し、ルーター内臓のＰＨＳ、携帯電話、付属品とルーターを基地局として直接使いインターネットの接続を行なう。ＧＰＳを自動車、バイク、自転車、飛行機、船、列車などの交通機関に設置し、それらのＧＰＳから無線でネットワークに送信し、各交通機関の種類と位置、移動速度、加速度、移動距離、平均速度、移動パターンから以降の到達地点を予測し、事故を未然に防ぐ。【選択図】　　図２
2004040745.tif 000002
【特許請求の範囲】
【請求項１】
携帯電話、ＰＨＳのトランシーバー機能、もしくはＩＰ（インターネット・プロトコル）を利用し、ルーター内臓のＰＨＳ、携帯電話、付属品とルーターを基地局として直接使いインターネットの接続を行ない、大規模な通信社の中継局やプロパイダーを必要としない通信無料・格安のネットワークシステム
【請求項２】
ＧＰＳを自動車、バイク、自転車、飛行機、船、列車などの交通機関に設置し、それらのＧＰＳから無線でネットワークに送信し、各交通機関の種類と位置、移動速度、加速度、移動距離、平均速度、移動パターンから以降の到達地点を予測し、それらの交通機関が衝突、もしくは接触する可能性がある場合は警報音、エンジン停止、緊急ブレーキ、針路変更などの安全装置が働き、事故を未然に防ぐ。
【発明の詳細な説明】
【０００１】
ＰＨＳ、携帯電話、付属品にルーターを内蔵し基地局として直接使う
【０００２】
プロパイダーを直接利用しないネットワークシステム
【０００３】
ＰＨＳのトランシーバー機能をネットワーク化し複数の機器を経由して目的の相手に送信する。
【０００４】
すべての交通機関にＧＰＳを設置し、そのデーターを無線で送信して大型コンピュータで種類と位置、移動速度、加速度、移動距離、平均速度、移動パターンから以降の到達地点を予測する
【０００５】
上記の到達地点が重なる場合は双方の交通機関に無線で、そのデータを送信し、交通機関に設置されたコンピューターが事故回避する
【産業上の利用分野】
自動車、バイク、自転車、飛行機、船、列車、未来の浮上移動型自動車や光子エンジン移動物体、プラズマ移動物体などの交通機関に利用できる。
インターネットや携帯電話の通信が完全無料になる
【従来の技術】
プロパイダーや通信会社が必要で接続料金が掛かる。
従来の電話は、１通話ごとに１回線を占有する。
従来のＧＰＳ装備車などは受信して位置を確認するだけ。
【発明が解決しようとする課題】
現在、迷惑メールによるユーザーの損害が社会問題になっている。
交通事故や今後の高速交通システムの安全性が経済を左右する。
ネットや通話料金が欧米に比べて割高、また欧米で無料通信が研究されている
【課題を解決するための手段】
声やデータをパケットと呼ばれるデータの固まリに小分けし、交換機よリ格安のルーターやルーター内臓の携帯電話、ＰＨＳ、付属品でネット通信を行なう。
ＧＰＳのデータを送信して第三者にデータを確認させ衝突事故を防ぐ。
【作用】
無料通信により迷惑メールによる損害が防げる。
ＧＰＳのデータを送信する事により衝突事故を防ぐ事が出来る。
【発明の効果】
アメリカでも無料通信の事が考えられているので国際競争で遅れを取らない。交通事故や海難事故を未然に防ぐ事が出来き、保険会社の利益が上がり、また経済効果にも寄与する。
【図面の簡単な説明】
【図１】携帯電話と各基地局によるネットワークの図
【図２】交通機関のＧＰＳ情報を中央処理コンピューターに送信し、中央処理コンピュータから事故回避情報を各交通機関のコントロールシステムに送信する図
【符号の説明】
１　自動車
２　バス
３　国家機関のネット監視機関
４　コンビニ
５　ＩＰ携帯電話
６　一般家庭
７　郵便局
８　電信柱
９　デパート
１０　無線ネットワーク
１１　自転車
１２　歩行者
１３　飛行機
１４　ヘリコプター
１５　船
１６　未来の飛行体
１７　中央処理コンピュータ
１８　ＧＰＳ情報の送信と事故回避情報の送信
【図１】
2004040745.tif 000003
【図２】
2004040745.tif 000004
(57)【要約】【課題】玄関ドアーのドアスコープの可視画像を拡大表示することで、安価に、確実に見易くすることを提供するものである【解決手段】画像制御回路、モニター液晶画面、電源部、スイッチ部から成る表示ユニットの裏面に磁石を固着して構成し、その磁力でドアスコープ室内側ドアー面に装着することで、ドアスコープ可視画像を拡大表示する。【選択図】　　　　　図１
2004040742.tif 000002
【特許請求の範囲】
【請求項１】
画像制御回路、モニター液晶画面、電源部、スイッチ部から成る表示ユニットであり、その表示ユニット裏面に、磁石を固着して構成されたことを特徴とし、その磁力でドアスコープ室内側ドアー面に装着することで、ドアスコープ可視画像を拡大表示する、ドアスコープ画像拡大表示ユニット。
【発明の詳細な説明】
【０００１】
【発明の属する技術分野】
この発明は、ドアーを開ける前に、訪問者を確認するドアスコープの可視画像を拡大表示して見易くする、ドアスコープ画像拡大表示ユニットに関するものである。
【０００２】
【従来の技術】
従来から、特に玄関ドアーに取り付けられているドアスコープを見るとき、ドアー面に目が接するほど近づかないと訪問者を確認することが出来なかった。
【０００３】
【発明が解決しようとする課題】
このため、覗き見るという姿勢の罪悪感、体勢に、無理を生じ、訪問者を確認しないままドアーを開けたり、又、目を近づけるため、ドアスコープが一瞬暗くなり、中に人が居て外を覗いているのが判る場合がある。
本発明は、拡大して見ることで、無理な姿勢をする必要がなく、ドアスコープ室内側にドアスコープ画像拡大表示ユニットを装着することで、中に人が居ることを判らなくすることを提供するものである
【０００４】
【課題を解決するための手段】
上記目的を達成する本発明に係るドアスコープ画像拡大表示ユニットは、
ドアスコープの可視画像を解像し、その画像を電子映像に変換するための両像制御回路を有し、その映像を表示するモニター液晶画面と、電源部、スイッチ部から成る表示ユニットに、磁石を固着したもので、この磁石を内装した表示ユニットを、ドアスコープの室内側に装着することで、ドアスコープ可視画像を拡大して見ることが出来るようにしたものである。
【０００５】
【発明の実施形態】
次に本発明を図面に基づいて説明する。
図１は本発明に係る要部断面平面図、図２は図１の正面図、図３は本発明のブロック図、図４は木製、アルミ製ドアーに取り付ける場合の実施例を示す要部断面平面図、図５は図４の要部断面側面図である。
【０００６】
図１、図２に示すように画像制御回路３、モニター液晶画面４、電源部６、スイッチ部５から成る表示ユニット１０の裏面に磁石７を固着したものであり、表示ユニット１０のドアスコープ２との合わせ位置に穴１１を明けたものでる。
この表示ユニット１０を従来からあるドアスコープ付きの鉄製ドアー１に使用するには、表示ユニット１０の穴１１をドアスコープ２のフランジ部に合わせ、装着する。表示ユニット１０には磁石７が固着されているのでその磁力で鉄製ドアー１と表示ユニット１０は不動となる。
木製、アルミドアーの場合は、図４、図５に示すように、鉄板８のバーリング穴１３をドアスコープ２のフランジ部に合わせ、ねじ９で、木製、アルミドアー１２に固定する。上記に示す鉄製ドアー１と同様に使用できる。磁力はドアーの開け閉め、地震等の振動に耐える強さとする。又、ドアスコープは既設の魚眼レンズ式でもよく、広角レンズ等に交換又は新設しても良い
【０００７】
訪問者を確認する時、スイッチ５を押すことで電源がＯＮとなり，ドアスコープの画像が、モニター液晶画面に拡大表示される。スイッチ５は押している間だけ電源ＯＮでもよく、タイマー機能を持たせ一度押すだけで設定した時間内のみ電源ＯＮでもよい。
【０００８】
【発明の効果】
以上のように、本発明に係るドアスコープ画像拡大表示ユニットによれば、画面を見るという行為から、覗き見るという姿勢の罪悪感がなく、ドアーに目を近づける無理な姿勢を取ることなく訪問者を確認できる。又、ドアスコープ室内側に表示ユニットを装着することで、室内の光が遮断され、中に居る人がドアーに近づいたことを判らなくする効果もあり防犯上有効なものである。
又、周知の防犯カメラ、テレビ付きインターホン等は、音声、映像機能の他、カメラ、ビデオ、ビデオ再生機能、接近センサ等多機能を搭載し非常に高価である。これらを既設の住居に新規に取り付ける場合、配線、取り付け工事が必要となりさらに高価なものとなる。本発明のドアスコープ画像拡大表示ユニットによれば、安全に、確実に、簡単に見易くする機能だけにすることで安価に提供できるものである。
【図面の簡単な説明】
【図１】本発明に係る要部断面平面図
【図２】図１の正面図
【図３】本発明のブロック図
【図４】本発明に係る木製、アルミ製ドアーに取り付ける場合の実施例を示す要部断面平面図
【図５】図４の要部断面側面図
【符号の説明】
１　　鉄製ドアー　　　　　　　　　　１１　穴
２　　ドアスコープ　　　　　　　　　１２　木製、アルミ製ドアー
３　　画像制御回路　　　　　　　　　１３　バーリング穴
４　　モニター液晶画面
５　　スイッチ部
６　　電源部
７　　磁石
８　　鉄板
９　　ねじ
１０　表示ユニット
【図１】
2004040742.tif 000003
【図２】
2004040742.tif 000004
【図３】
2004040742.tif 000005
【図４】
2004040742.tif 000006
【図５】
2004040742.tif 000007